(57)【要約】【課題】使用性を向上できる冷蔵庫を提供する。【解決手段】貯蔵物を載置する載置棚１０が貯蔵室２の両側壁に設けられる支持部材２０上に橋架される冷却庫１において、載置棚１０が水平に配される平面部１３と、平面部１３の両側端に前後に延びて設けられる上部レール１４と、上部レール１４の下方に配されて前後に延びるとともに空隙部１５ｃを介して前後の第１、第２レール部１５ａ、１５ｂに分割された下部レール１５とを有するとともに、支持部材２０が空隙部１５ｃを通過可能な第１支持部２１と、第２レール部１５ｂが通過可能な空隙部２３を介して第１支持部２１の後方に配される第２支持部２２とを有し、支持部材２０上に上部レール１４が配された状態と、支持部材２０上に下部レール１４が配された状態とに載置棚１０を移設可能にし、第２支持部２２の前面２２ａを前方が下がるように傾斜した。【選択図】図８
2010139096.tif 000002
【特許請求の範囲】
【請求項１】
貯蔵物を載置する載置棚が貯蔵室の両側壁に設けられる支持部材上に橋架される冷却庫において、前記載置棚は水平に配される平面部と、前記平面部の両側端に前後に延びて設けられる上部レールと、前記上部レールの下方に配されて前後に延びるとともに第１空隙部を介して前後の第１、第２レール部に分割された下部レールとを有するとともに、前記支持部材は第１空隙部を通過可能な第１支持部と、第２レール部が通過可能な第２空隙部を介して第１支持部の後方に配される第２支持部とを有し、前記支持部材上に前記上部レールが配された状態と、第１、第２空隙部をそれぞれ第１支持部及び第２レール部が通過して前記支持部材上に前記下部レールが配された状態とに前記載置棚を移設可能にし、第２支持部の前面を前方が下がるように傾斜したことを特徴とする冷却庫。
【請求項２】
第２支持部の前端が尖鋭に形成されることを特徴とする請求項１に記載の冷却庫。
【請求項３】
第１支持部の前面は前方が下がるように傾斜し、前記載置棚を上方に移設する際に第２レール部が第２支持部の前面に摺動した後に第１レール部の後端が第１支持部の前面に摺動することを特徴とする請求項１または請求項２に記載の冷却庫。
【請求項４】
前記支持部材に上面を開口する開口部を設け、前記載置棚を設置した際に開口部に係止される突起部を前記上部レール及び前記下部レールに設けたことを特徴とする請求項１〜請求項３のいずれかに記載の冷却庫。
【請求項５】
前記上部レールに設けた前記突起部が第１支持部の前面に当接する位置で、第１、第２支持部の間に第２レール部が配されるとともに第１、第２レール部の間に第１支持部が配されることを特徴とする請求項４に記載の冷却庫。
【請求項６】
前記平面部がガラス板を有することを特徴とする請求項１〜請求項５のいずれかに記載の冷却庫。
【請求項７】
前記上部レール及び前記下部レールが樹脂成形品から成り、前記上部レール及び前記下部レールを前記ガラス板とともにインサート成形したことを特徴とする請求項６に記載の冷却庫。
【発明の詳細な説明】
【技術分野】
【０００１】
本発明は、貯蔵物を載置する載置棚を備えた冷蔵庫や冷凍庫等の冷却庫に関する。
【背景技術】
【０００２】
従来の冷蔵庫は特許文献１に開示されている。この冷蔵庫は貯蔵室の両側壁に設けた支持部材上に貯蔵物を載置する載置棚が橋架される。図１２はこの載置棚の斜視図を示している。載置棚１２１は水平に配される平面部１２１ａの両側端に下方に突出する立ち上がり片１２２が設けられる。
【０００３】
立ち上がり片１２２には前後に延びる複数のレール１２２ａが溝部１３１を介して上下に並設される。尚、最上段のレール１２２ａは平面部１２１ａと同一面に形成されている。支持部材上に各レール１２２ａを設置することにより、載置棚１２１を上下方向に移設することができる。これにより、貯蔵物の大きさに応じて載置棚１２１を異なる高さに配置し、貯蔵室内のスペースを有効に利用することができる。
【０００４】
【特許文献１】特開平１１−１０８５５１号公報
【発明の開示】
【発明が解決しようとする課題】
【０００５】
しかしながら、上記構成の冷蔵庫によると、載置棚１２１を移設する際に全体を引き出して別のレール１２２ａを支持部材上に設置する必要がある。このため、片手で載置棚を移設することが困難となる。また、冷蔵庫が大型になると載置棚の横幅が大きくなるため貯蔵物の重量によって載置棚が撓み、支持部材から脱落する危険がある。このため、載置棚の剛性を高くすると載置棚の重量が大きくなり、片手で載置棚を移設することが更に困難となる。従って、冷蔵庫の使用性が悪い問題があった。尚、冷蔵庫だけでなく載置棚を備えた冷凍庫等の冷却庫において同様の問題がある。
【０００６】
本発明は、使用性を向上できる冷却庫を提供することを目的とする。
【課題を解決するための手段】
【０００７】
上記目的を達成するために本発明は、貯蔵物を載置する載置棚が貯蔵室の両側壁に設けられる支持部材上に橋架される冷却庫において、前記載置棚は水平に配される平面部と、前記平面部の両側端に前後に延びて設けられる上部レールと、前記上部レールの下方に配されて前後に延びるとともに第１空隙部を介して前後の第１、第２レール部に分割された下部レールとを有するとともに、前記支持部材は第１空隙部を通過可能な第１支持部と、第２レール部が通過可能な第２空隙部を介して第１支持部の後方に配される第２支持部とを有し、前記支持部材上に前記上部レールが配された状態と、第１、第２空隙部をそれぞれ第１支持部及び第２レール部が通過して前記支持部材上に前記下部レールが配された状態とに前記載置棚を移設可能にし、第２支持部の前面を前方が下がるように傾斜したことを特徴としている。
【０００８】
この構成によると、平面部の両側端に設けた上部レールを支持部材上に設置した状態から載置棚を引き、第２レール部が第２空隙部を通過して第２支持部上に乗り上げるとともに第１空隙部を通過する第１支持部上に第１レール部が乗り上げて載置棚が上方に移設される。この時、載置棚を後方が上がるように傾斜して第２支持部の前面の傾斜面に第２レール部を摺動させることにより、載置棚を容易に上方に移設できる。尚、複数の下部レールを上下に並設してもよい。
【０００９】
また本発明は、上記構成の冷却庫において、第２支持部の前端が尖鋭に形成されることを特徴としている。この構成によると、第２レール部の後端を容易に第２支持部の前面に摺動させることができる。
【００１０】
また本発明は、上記構成の冷却庫において、第１支持部の前面は前方が下がるように傾斜し、前記載置棚を上方に移設する際に第２レール部が第２支持部の前面に摺動した後に第１レール部の後端が第１支持部の前面に摺動することを特徴としている。この構成によると、載置棚を後方が上がるように傾斜して第２支持部の前面の傾斜面に第２レール部が摺動する。その後、載置棚の前方が持ち上げられて第１支持部の前面の傾斜面に第１レール部が摺動し、下部レールが支持部材上に設置される。
【００１１】
また本発明は、上記構成の冷却庫において、前記支持部材に上面を開口する開口部を設け、前記載置棚を設置した際に開口部に係止される突起部を前記上部レール及び前記下部レールに設けたことを特徴としている。この構成によると、開口部に突起部が係止され、載置棚の前方への移動が規制される。
【００１２】
また本発明は、上記構成の冷却庫において、前記上部レールに設けた前記突起部が第１支持部の前面に当接する位置で、第１、第２支持部の間に第２レール部が配されるとともに第１、第２レール部の間に第１支持部が配されることを特徴としている。この構成によると、支持部材上の上部レールが設置された載置棚を引き出して突起部が第１支持部の前面に当接する位置に配されると、第１、第２空隙部をそれぞれ第１支持部及び第２レール部が通過可能になる。
【００１３】
また本発明は、上記構成の冷却庫において、前記平面部にガラス板を有することを特徴としている。
【００１４】
また本発明は、上記構成の冷却庫において、前記上部レール及び前記下部レールが樹脂成形品から成り、前記上部レール及び前記下部レールを前記ガラス板とともにインサート成形したことを特徴としている。
【発明の効果】
【００１５】
本発明によると、下部レールが前後の第１、第２レール部に分割されるとともに支持部材が前後の第１、第２支持部に分割され、第２支持部の前面を前方が下がるように傾斜したので、載置棚を短い距離だけ引いて傾斜させることによって第２レール部が容易に第２支持部と摺動する。これにより、片手で容易に載置棚を移設することができ、冷却庫の使用性を向上することができる。
【発明を実施するための最良の形態】
【００１６】
以下に本発明の実施形態を図面を参照して説明する。図１は一実施形態の冷蔵庫を示す正面図である。冷蔵庫１は上方から冷蔵室２、冷凍室３及び野菜室４が設けられる。冷蔵室２、冷凍室３及び野菜室４はそれぞれ扉２ａ、３ａ、４ａにより開閉される。図２は冷蔵室２の扉２ａを省いた状態の正面図を示している。冷蔵室２内には貯蔵物を載置する複数の載置棚１０が上下に並設される。
【００１７】
図３は載置棚１０の斜視図を示している。載置棚１０はガラス板１１の周囲が樹脂成形品から成る枠体１２により囲まれる。ガラス板１１と枠体１２とを一体にインサート成形する方法や、枠体１２を上下、左右、前後のいずれかに分割してガラス板１１を挟み込む方法等によって載置棚１０が形成される。ガラス板１１及び枠体１２の上面は略同一面に形成され、水平に配される平面部１３を構成する。平面部１３の前端には把手部１７が設けられ、把手部１７を把持して載置棚１０を前後に出し入れ可能になっている。
【００１８】
枠体１２は平面部１３の両側端部に前後に延びる上部レール１４が形成される。また、枠体１２は平面部１３の両側端部から下方に延びる立ち上がり片１８が設けられる。立ち上がり片１８には上部レール１４と平行に前後に延びた下部レール１５が外側に突出して形成される。下部レール１５は空隙部１５ｃ（第１空隙部）を介して前後の第１、第２レール部１５ａ、１５ｂに分割される。また、立ち上がり片１８の下端には下部レール１５と平行に前後に延びた底板１６が外側に突出して形成される。
【００１９】
図４は冷蔵室２の右側面断面図を示している。冷蔵室２の両側壁には前後に延びる支持部材２０が突設されている。支持部材２０上には上部レール１４を設置して載置棚１０が橋架され、平面部１３（図３参照）が水平に配される。支持部材２０は同じ構造で上下方向に複数設けられ、複数の載置棚１０を設置することができる。また、後述するように、支持部材２０上に下部レール１５を設置して載置棚１０を上下方向に移設可能になっている。
【００２０】
支持部材２０は空隙部２３（第２空隙部）を介して前後に分割された第１、第２支持部２１、２２を有している。第１支持部２１の奥行は第１、第２レール部１５ａ、１５ｂ間の空隙部１５ｃ（第１空隙部）を通過可能な長さに形成される。第１、第２支持部２１、２２間の空隙部２３（第２空隙部）の奥行は第２レール部１５ｂが通過可能な長さに形成される。
【００２１】
また、第１、第２支持部２１、２２は前部が下方に屈曲し、前面２１ａ、２２ａを前方が下がるように傾斜して形成される。これにより、第１、第２支持部２１、２２の前面２１ａ、２２ａは先端が尖鋭に形成される。第１、第２支持部２１、２２を屈曲させずに上下面を平行に形成して前面２１ａ、２２ａを傾斜面に形成してもよい。
【００２２】
第１支持部２１には上面が開口した貫通孔から成る開口部２１ｂが設けられる。上部レール１４及び下部レール１５には下方に突出する突起部１４ａ、１５ｄが設けられる。開口部２１ｂに突起部１４ａ、１５ｄが係止されることにより、載置棚１０の脱落が防止される。開口部２１ｂを下面が塞がれた凹部により形成してもよい。
【００２３】
上記構成の冷蔵庫１において、図４に示すように支持部材２０上に上部レール１４を設置すると、載置棚１０の上方の空間を広く確保することができる。この時、突起部１４ａと開口部２１ｂの前端との当接により載置棚１０の前方への移動が規制される。また、突起部１４ａと開口部２１の後端との当接及び載置棚１０の後端と冷蔵室２の背壁との当接により載置棚１０の後方への移動が規制される。
【００２４】
第１、第２支持部２１、２２は上部レール１４と下部レール１５との間に配され、載置棚１０の上下方向の移動が規制される。また、第２レール部１５ｂは第２支持部２２に対向し、第１支持部２１は第１レール部１５ａに対向している。
【００２５】
図５〜図１１は上段の載置棚１０を上方に移設する際の動作を示している。把手部１７を把持して載置棚１０の移設を開始すると載置棚１０が手前に引き出される。この時、図５に示すように、突起部１４ａが開口部２１ｂから第１支持部２１の上面に乗り上げる。
【００２６】
更に載置棚１０が引き出されると図６に示すように載置棚１０が前方に移動し、突起部１４ａが第１支持部２１の上面から降下して前面２１ａに当接する位置に配される。この時、第２レール部１５ｂは第２支持部２２に対向する位置から外れ、空隙部２３に面して第１、第２支持部２１、２２間に配される。また、第１支持部２１が第１レール部１５ａに対向する位置から外れ、空隙部１５ｃに面して第１、第２レール部１５ａ、１５ｂ間に配される。即ち、突起部１４ａは第１支持部２１から降下したときに第２レール部１５ｂ及び第１支持部２１がそれぞれ空隙部２３、１５ｃに面した位置に配されるような長さに形成される。
【００２７】
次に、図７に示すように、把持部１７を下方に加重し、載置棚１０を後方が上昇するように傾斜させる。これにより、第２レール部１５ｂは空隙部２３を通過して第２支持部２２の前端よりも上方に配される。この時、上部レール１４の前部が第１支持部２１に支持されるため、載置棚１０を傾斜させる負担を軽減することができる。
【００２８】
この状態から載置棚１０が押し込まれると、図８に示すように第２レール部１５ｂは後端が第２支持部２２の前面２２ａと摺動して上昇する。また、突起部１４ａが第１支持部２１を乗り上げる。この時、第１レール部１５ａの後端は突起部１４ａの後端よりも前方に配され、突起部１５ｄは突起部１４ａよりも奥行が短くなっている。これにより、第２レール部１５ｂと第２支持部２２との摺動が開始されたときに第１レール部１５ａと第１支持部２１とが離れて配置される。
【００２９】
次に、把持部１７が上方に持ち上げられる。この時、第２レール部１５ｂが第２支持部２２に支持されるため、載置棚１０の前部を持ち上げる負担を軽減することができる。更に載置棚１０が押し込まれると、図９に示すように第１レール部１５ａは後端が第１支持部２１の前面２１ａと摺動して上昇する。これにより、第１支持部２１が空隙部１５ｃを通過し、図１０に示すように第１、第２レール部１５ａ、１５ｂがそれぞれ第１、第２支持部２１、２２と摺動して上昇する。
【００３０】
そして、図１１に示すように突起部１５ｄが第１支持部２１上に乗り上げた後に開口部２１ｂに嵌まり、下部レール１５が支持部材２０上に設置される。これにより、載置棚１０の下方の空間を広く確保することができる。この時、突起部１５ｄと開口部２１ｂの前端との当接により載置棚１０の前方への移動が規制され、載置棚１０の後端と冷蔵室２の背壁との当接により載置棚１０の後方への移動が規制される。第１、第２支持部２１、２２は下部レール１５と底板１６の間に配され、載置棚１０の上下方向の移動が規制される。
【００３１】
また、上記と逆の動作によって下部レール１５が支持部材２０上に設置された状態から上部レール１４が支持部材２０上に設置された状態に載置棚１０を移設することができる。
【００３２】
本実施形態によると、支持部材２０が前後の第１、第２支持部２１、２２に分割され、下部レール１５が前後の第１、第２レール部１５ａ、１５ｂに分割される。このため、載置棚１０を短い距離だけ前方に引き出して上下に移設することができる。また、載置棚１０を上方に移設する際には、載置棚１０の後部を持ち上げると上部レール１４が第１支持部２１に支持された状態で第２レール部１５ｂが第２支持部２２上に配される。その後、載置棚１０の前部を持ち上げると第２レール部１５ｂが第２支持部２２に支持された状態で第１レール部１５ａが第１支持部２１上に配される。
【００３３】
また、載置棚１０を下方に移設する際には、載置棚１０の前部を下げると第２レール部１５ｂが第２支持部２２に支持された状態で上部レール１４の前部が第１支持部２１上に配される。その後、載置棚１０の後部を下げると上部レール１４の前部が第１支持部２１に支持された状態で上部レール１４の後部が第２支持部２２上に配される。
【００３４】
加えて、第２支持部２２の前面２２ａは前方が下方に傾斜するため、第２レール部１５ｂの後端が第２支持部２２の前面２２ａに摺動して円滑に上下移動する。このため、使用者の手にかかる負担を軽減し、片手で容易に載置棚１０を移設することができる。従って、冷蔵庫１の使用性を向上することができる。
【００３５】
更に、従来例の載置棚１２１（図１２参照）は全体を引き出して移設するため貯蔵物を載置した状態で移設することが困難である。しかしながら、本実施形態では貯蔵物が傾斜によって落下しない状態であれば載置棚１０上に載置したままであっても簡単に載置棚１０を上下方向に移設することができる。
【００３６】
また、第２支持部２２の前端が尖鋭に形成されるので、第２レール部１５ｂが第２支持部２２上に容易に乗り上げることができる。従って、より簡単に載置棚１０を移設することができる。
【００３７】
また、第１支持部２１の前面２１ａは前方が下方に傾斜し、載置棚１０を上方に移設する際に第２レール部１５ｂが第２支持部２２の前面２２ａに摺動した後に第１レール部１５ａの後端が第１支持部２１の前面に摺動するので、下部レール１５の後部を支持部材２０に載せた後に前部を支持部材２０に載せて載置棚１０が移設される。従って、より簡単に載置棚１０を移設することができる。
【００３８】
また、開口部２１ｂに係止される突起部１４ａ、１５ｄを上部レール１４及び下部レール１５に設けたので、載置棚１０の移動を容易に規制することができる。
【００３９】
また、突起部１４ａが第１支持部２１の前面に当接する位置で、第１、第２支持部２１、２２の間に第２レール部１５ｂが配され、第１、第２レール部１５ａ、１５ｂの間に第１支持部２１が配されるので、載置棚１０を上方に移設する際に突起部１４ａが第１支持部２１の前面２１ａに当接する位置に配されると、空隙部１５ｃ、２３をそれぞれ第１支持部２１及び第２レール部１５ｂが通過可能になる。従って、載置棚１０を傾斜させる時期を使用者が容易に判別することができる。
【００４０】
また、載置棚１０の平面部１３がガラス板１１を有するので、重量の大きい貯蔵物を載置しても載置棚１０の撓みによる脱落を防止することができる。また、重量の大きいガラス板１１を有する載置棚１０を片手で容易に上下に移設することができる。
【００４１】
また、樹脂成形品から成る上部レール１４及び下部レール１５をガラス板１１とともにインサート成形したので、撓みを防止できる載置棚１０を容易に形成することができる。
【００４２】
本実施形態において、立ち上がり片１８を平面部１３の上方に突出して形成し、上部レール１４を平面部１３よりも上方に配してもよい。また、複数の下部レール１５を上下に並設して載置棚１０を３段以上に移設可能にしてもよい。
【００４３】
また、冷蔵庫１に限られず、食品等の貯蔵物を載置する載置棚１０を有して貯蔵物を冷却保存する冷蔵庫、冷凍庫、冷凍冷蔵庫、保冷庫、ショーケース、自動販売機等の冷却庫において同様の構成により同様の効果を得ることができる。
【産業上の利用可能性】
【００４４】
本発明によると、冷蔵庫、冷凍庫、冷凍冷蔵庫、保冷庫、ショーケース、自動販売機等の冷却庫に利用することができる。
【図面の簡単な説明】
【００４５】
【図１】本発明の実施形態の冷蔵庫を示す正面図
【図２】本発明の実施形態の冷蔵庫の冷蔵室の扉を省いた状態を示す正面図
【図３】本発明の実施形態の冷蔵庫の載置棚を示す斜視図
【図４】本発明の実施形態の冷蔵庫の冷蔵室を示す右側面断面図
【図５】本発明の実施形態の冷蔵庫の載置棚の移設動作を説明する右側面断面図
【図６】本発明の実施形態の冷蔵庫の載置棚の移設動作を説明する右側面断面図
【図７】本発明の実施形態の冷蔵庫の載置棚の移設動作を説明する右側面断面図
【図８】本発明の実施形態の冷蔵庫の載置棚の移設動作を説明する右側面断面図
【図９】本発明の実施形態の冷蔵庫の載置棚の移設動作を説明する右側面断面図
【図１０】本発明の実施形態の冷蔵庫の載置棚の移設動作を説明する右側面断面図
【図１１】本発明の実施形態の冷蔵庫の載置棚の移設動作を説明する右側面断面図
【図１２】従来の冷蔵庫の載置棚を示す斜視図
【符号の説明】
【００４６】
１    冷蔵庫
２    冷蔵室
３    冷凍室
４    野菜室
１０    載置棚
１１    ガラス板
１２    枠体
１３    平面部
１４    上部レール
１４ａ、１５ｄ  突起部
１５    下部レール
１５ａ  第１レール部
１５ｂ  第２レール部
１５ｃ  空隙部（第１空隙部）
１６    底板
１７    把手部
１８    立ち上がり片
２０    支持部材
２１    第１支持部
２１ａ、２２ａ  前面
２１ｂ  開口部
２２    第２支持部
２３    空隙部（第２空隙部）
【図１】
2010139096.tif 000003
【図２】
2010139096.tif 000004
【図３】
2010139096.tif 000005
【図４】
2010139096.tif 000006
【図５】
2010139096.tif 000007
【図６】
2010139096.tif 000008
【図７】
2010139096.tif 000009
【図８】
2010139096.tif 000010
【図９】
2010139096.tif 000011
【図１０】
2010139096.tif 000012
【図１１】
2010139096.tif 000013
【図１２】
2010139096.tif 000014